Podtech/llm-jp-corpus-v4-ja_patent huggingface dataset:
【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
運転室と；
エンジンコンパートメントと；
前記エンジンコンパートメント内のエンジンと；
前記エンジンの前にあり、前記エンジンから冷却剤を受け取るラジエーターと；
前記ラジエーターの後の第一換気システムであって、環境へ排気出口を有するダクトと、前記ダクトを介して前記ラジエーターを介して空気を引き、前記第一換気システムの排気出口から出すために適応された少なくとも一つの電気ファンとを含み、前記ラジエーターを介して引かれた空気が前記エンジンコンパートメントへ入ることを防ぐように構成された第一換気システムと；
前記エンジンコンパートメントから熱を除去するように構成された第二換気システムであって、前記エンジンコンパートメントの後方部分へ環境の空気を流し、前記エンジンコンパートメントの前方部分へ向けた排気出口から、前記エンジンコンパートメントによって加熱された空気を排気するように構成された第二換気システムと、を有する路上の道路走行が可能な車両。
【請求項２】
前記第二換気システムがさらに、前記エンジンコンパートメントの頂部または側面の少なくとも一つに吸気構造を有し、
前記吸気構造が、前記車両が前方へ移動しているときに前記エンジンコンパートメント内へ環境の空気を流すように適合されていることを特徴とする請求項１に記載の車両。
【請求項３】
前記第二換気システムの前記排気出口が、前記第一換気システムの前記排気出口の後に位置されており、
前記第一換気システムからの排気空気が、前記第二換気システムの出口から空気を引くように前記システムが構成およびアレンジされていることを特徴とする請求項１に記載の車両。
【請求項４】
前記車両が少なくとも６３５０ｋｇの車両総重量を有し、
時速９７ｋｍの高速道路速度の能力があることを特徴とする請求項１に記載の車両。
【請求項５】
運転室と；
前記運転室の前方壁の一部を形成するフロントガラスと；
前記運転室の前のエンジンコンパートメントと；
前記エンジンコンパートメント内のエンジンと；
前記エンジンの前にあり、前記エンジンから冷却剤を受け取るラジエーターと；
前記ラジエーターの後の第一換気システムであって、前記ラジエーターを介して引かれた空気が前記エンジンコンパートメントへ入ることを防ぐ第一換気システムと；
前記車両が前方へ移動しているときに前記エンジンコンパートメント内へ空気を流すように構成された第二換気システムであって、前記フロントガラスの土台の近くに空気入口を有する第二換気システムと；を有する車両であって、
前記フロントガラスは、前記車両が前方へ移動しているときに前記第二換気システムの入口へ空気を流すために、その土台に高圧領域を形成することを特徴とする、路上の道路走行が可能な車両。
【請求項６】
前方へ移動している車両の運転室の前にあるエンジンコンパートメント内の空気を扱う方法であって、
前記車両の前方において、ラムエアーがラジエーターを介して入り、前記エンジンコンパートメントから独立したラジエーター換気システムへ入るように導き、
前記エンジンコンパートメントの後方から前方へ穏やかに移動するカウル吸気によって前記エンジンコンパートメントを冷却すること、を含む方法。
【手続補正書】
【提出日】平成22年10月26日(2010.10.26)
【手続補正１】
【補正対象書類名】特許請求の範囲
【補正対象項目名】全文
【補正方法】変更
【補正の内容】
【特許請求の範囲】
【請求項１】
炭酸ナトリウム／炭酸水素ナトリウム、リン酸ナトリウム／リン酸水素ナトリウム、Ｌ−リシン／Ｌ−リシンナトリウム塩及びＬ−アルギニン／Ｌ−アルギニンナトリウム塩の群から選択されている、弱酸及び相応する塩基からなる組み合わせからなる、ｐＨ値８．０〜１２．０に調整する緩衝系を付加的に含有することを特徴とする、クレアチン成分を含有する調製物。
【請求項２】
クレアチン成分が、クレアチン、クレアチン一水和物及び／又は少なくとも１種の塩、付加化合物及び／又は錯体化合物であることを特徴とする、請求項１記載の調製物。
【請求項３】
少なくとも１種の塩、少なくとも１種の付加化合物及び／又は錯体化合物が、リンゴ酸、アスコルビン酸、コハク酸、ピルビン酸、フマル酸、アスパラギン酸、グルコン酸、α−ケトグルタル酸、シュウ酸、ピログルタミン酸、３−ニコチン酸、マレイン酸、硫酸、酢酸、ギ酸、リン酸、塩酸、２−ヒドロキシ安息香酸、α−リポ酸、Ｌ−カルニチン、アセチル−Ｌ−カルニチン、タウリン、ベタイン、コリン及びメチオニンからなる群から選択されていることを特徴とする、請求項２記載の調製物。
【請求項４】
緩衝系の割合が、この組成物の全質量に対して、０．１〜９０．０質量％であることを特徴とする、請求項１から３までのいずれか１項記載の調製物。
【請求項５】
調製物が付加的に、１種のナトリウム塩又は数種のナトリウム塩又はこの混合物を含有することを特徴とする、請求項１から４までのいずれか１項記載の調製物。
【請求項６】
１種のナトリウム塩又は数種のナトリウム塩又はこの混合物が、塩化ナトリウム、硫酸ナトリウム、酢酸ナトリウム、クエン酸ナトリウム、グルコン酸ナトリウム、アスコルビン酸ナトリウム、パントテン酸ナトリウム及び乳酸ナトリウムからなる群から選択されていることを特徴とする、請求項５記載の調製物。
【請求項７】
１種のナトリウム塩又は数種のナトリウム塩又はその混合物の割合が、この調製物の全質量に対して、０．１〜７５．０質量％であることを特徴とする、請求項５又は６記載の調製物。
【請求項８】
炭水化物、脂肪、アミノ酸、タンパク質、ビタミン、鉱酸、微量元素並びにその誘導体及び混合物からなる群から選択されている更なる生理学的に活性のある化合物を含有することを特徴とする、請求項１から７までのいずれか１項記載の調製物。
【請求項９】
更にグアニジノ酢酸及び／又はα−リポ酸を含有することを特徴とする、請求項１から８までのいずれか１項記載の調製物。
【請求項１０】
緩衝系が、ｐＨ１０．０〜１１．０に調整することを特徴とする、請求項１から９までのいずれか１項記載の調製物。
【請求項１１】
固形又は水性であることを特徴とする、請求項１から１０までのいずれか１項記載の調製物。
【請求項１２】
水性の調製物が、この組成物の全質量に対して、０．０１〜１４．０質量％の固形物含有量を示すことを特徴とする、請求項１から１１までのいずれか１項記載の調製物。
【請求項１３】
パウダー、顆粒、トローチ、カプセル、タブレット、溶液、ジュース及び／又はゼリー製品として存在することを特徴とする、請求項１から１２までのいずれか１項記載の調製物。
【請求項１４】
（ａ）請求項１から３までのいずれか１項に定義されるクレアチン成分を準備する工程、（ｂ）請求項１、４又は１０のいずれか１項に定義される緩衝系を組み込む工程、及び（ｃ）場合により、請求項５から７までのいずれか１項に定義された１種のナトリウム塩又は数種のナトリウム塩又はその混合物、請求項１０に定義される生理学的に活性のある化合物、及び／又は請求項９に定義されるグアニジノ酢酸及び／又はα−リポ酸を添加する工程、を含む、請求項１から１３までのいずれか１項記載の調製物の製造方法。
【請求項１５】
請求項１から１３までのいずれか１項記載の調製物並びに場合により少なくとも１種の医薬的に許容可能な担体及び／又は助剤を含有する、医薬組成物。
【請求項１６】
栄養サプリメント剤、飼料及び／又は飼料添加剤としての、請求項１から１３までのいずれか１項記載の調製物の非治療的な使用。
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
式Ｉ：
【化１】
2010508299.tif 000001
［式中、
Ｒ１は炭水化物部分であり；
Ｒ２はＨまたはＣ（Ｏ）Ｒ４であり；
Ｒ３はＨ、炭水化物部分、または置換もしくは非置換のＣ１−Ｃ２０基であり；および
Ｒ４は置換または非置換のＣ１−Ｃ２０基である］に対応する化合物、または式Ｉの医薬的に許容される塩、鏡像異性体、ジアステレオマー、ラセミ混合物、鏡像異性体が富化された混合物、溶媒和物もしくはプロドラッグの治療有効量を、医薬的に有効な担体中に含む医薬組成物。
【請求項２】
前記化合物が、哺乳類において無痛覚をもたらす、または炎症を減らすために治療的に有効な量で存在する、請求項１に記載の医薬組成物。
【請求項３】
Ｒ１とＲ３の各々が、グルコース部分、ガラクトース部分、ラムノース部分、キシロース部分およびアラビノース部分からなる群から独立して選択される、請求項１に記載の医薬組成物。
【請求項４】
Ｒ２、Ｒ３およびＲ４の各々が、一つ以上の芳香環を独立して含む、請求項１に記載の医薬組成物。
【請求項５】
式Ｉに記載の前記化合物が、式ＩＩ：
【化２】
2010508299.tif 000002
の化合物である、請求項１に記載の医薬組成物。
【請求項６】
式Ｉに対応する化合物の前記プロドラッグが、式ＩＩＩ：
【化３】
2010508299.tif 000003
［式中、Ｒ５は加水分解性糖である］
に対応する化合物である、請求項１に記載の医薬組成物。
【請求項７】
前記加水分解性糖がグルコースである、請求項６に記載の医薬組成物。
【請求項８】
式Ｉに対応する化合物の前記プロドラッグが、式ＩＶ：
【化４】
2010508299.tif 000004
の化合物である、請求項１に記載の医薬組成物。
【請求項９】
式ＩＩ：
【化５】
2010508299.tif 000005
に対応する化合物、または
式ＩＶ：
【化６】
2010508299.tif 000006
に対応する化合物の治療有効量を、医薬的に有効な担体中に含む医薬組成物であって、式ＩＩまたは式ＩＶに記載の前記化合物が、哺乳類において無痛覚をもたらす、または炎症を減らすために治療的に有効な量で存在する医薬組成物。
【請求項１０】
前記組成物が、即時放出型組成物、制御放出型組成物、徐放型の経口投与可能な組成物、局所投与可能な組成物、液体溶液剤、液体スプレー剤、ロゼンジ剤、のどスプレー剤、軟膏剤、溶液剤、泡剤、咳止めドロップ剤、溶解性ストリップ剤、ゼリー剤、口内洗浄剤；うがい薬、ロリポップ剤、ガム剤、水性または油性懸濁剤、分散性の散剤または顆粒剤、シロップ剤、エリキシル剤、乳剤、クリーム剤、ペースト剤、ゲル剤、ローション剤、含浸包帯、眼内投与可能な組成物、吸入性粒子、吸入性溶液、液滴剤およびエアゾール剤からなる群から選択される形態である、請求項９に記載の医薬組成物。
【請求項１１】
式ＩＩまたはＩＶに対応する前記化合物が、天然に存在する有機体から合成的に、半合成的に製造される、または単離および精製される、請求項９に記載の医薬組成物。
【請求項１２】
一つ以上の治療剤を、式ＩＩまたはＩＶに対応する前記化合物と組み合わせてさらに含む請求項９に記載の医薬組成物であって、前記治療剤が、鎮痛剤、ＮＳＡＩＤ、サリチレート、アセトアミノフェン、イブプロフェンおよびＣＯＸ−２阻害剤からなる群から選択される医薬組成物。
【請求項１３】
哺乳類において、無痛覚をもたらす、または炎症を減らすために治療的に有効である前記量が、単位用量あたり約．０１ｍｇ〜約５００ｍｇの間、または単位用量あたり約１ｍｇ〜約１００ｍｇの間である、請求項９に記載の医薬組成物。
【請求項１４】
カプシクム（Ｃａｐｓｉｃｕｍ）属の実から単離および精製された化合物の治療有効量を含む、哺乳類において無痛覚をもたらす、および／または炎症を減らすための医薬組成物。
【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
金属酸化物と酸化ホウ素(B2O3)を含み、
前記金属酸化物と前記酸化ホウ素がクラスター中で物理的に結合しており、前記酸化ホウ素が前記金属酸化物によって緊密に支持されており、
前記金属酸化物が孔を有する粒子構造体を含み、前記酸化ホウ素が前記孔内に見出される
ことを特徴とする金属ホウ化物プレカーサー混合物。
【請求項２】
前記金属酸化物がTiO2である、請求項１に記載の混合物。
【請求項３】
TiO2/B2O3の質量パーセントが、55〜51質量％TiO2/45〜49質量％B2O3である、請求項２に記載の混合物。
【請求項４】
TiO2/B2O3の質量パーセントが、53質量％TiO2/47質量％B2O3である、請求項２または３に記載の混合物。
【請求項５】
150ミクロンよりも小さい平均粒度分布からなる、請求項１〜４のいずれか１項記載の混合物。
【請求項６】
アルミニウム電気分解セルにおいてカソードおよびセル壁材料の少なくとも１つとして使用する炭素複合体材料であって、
炭素質成分、および金属酸化物と酸化ホウ素を含む金属ホウ化物プレカーサー混合物を含み、
前記金属酸化物と前記酸化ホウ素がクラスター中で物理的に結合しており、前記酸化ホウ素が前記金属酸化物によって緊密に支持されており、
前記金属酸化物が孔を有する粒子表面を含み、前記酸化ホウ素が前記孔内に見出される
ことを特徴とする炭素複合体材料。
【請求項７】
前記炭素質成分が、グラファイトまたは焼成無煙炭とピッチとの混合物である、請求項６に記載の複合体。
【請求項８】
10〜40質量％金属ホウ化物プレカーサー混合物の組成からなる、請求項７に記載の複合体。
【請求項９】
二ホウ化チタンを含む、請求項８に記載の複合体。
【請求項１０】
請求項６〜９のいずれか１項において定義した炭素複合体材料によって製造した炭素ブロック部品。
【請求項１１】
下記の工程を含むことを特徴とする、金属ホウ化物プレカーサー混合物の製造方法：
ホウ素成分を供与する粒子表面を有する金属酸化物を調製する工程；
前記金属酸化物と前記ホウ素成分を機械的に混合して粒状混合物を調製する工程；および、
前記粒状混合物を、前記ホウ素成分が液化酸化ホウ素となり前記粒子表面に含浸して金属酸化物と酸化ホウ素の物理的に結合したクラスターを生成し且つ酸化ホウ素が金属酸化物によって緊密に支持される温度に加熱する工程。
【請求項１２】
前記ホウ素成分が、オルトホウ酸(H3BO3)、メタホウ酸(HBO2)および酸化ホウ素(B2O3)からなる群から選ばれる、請求項１１に記載の方法。
【請求項１３】
前記ホウ素成分が、オルトホウ酸(H3BO3)である、請求項１１に記載の方法。
【請求項１４】
オルトホウ酸(H3BO3)が、加熱したとき、液化酸化ホウ素(B2O3)と水に分解する、請求項１３に記載の方法。
【請求項１５】
前記クラスターの酸化ホウ素を固化させる工程をさらに含む、請求項１１に記載の方法。
【請求項１６】
加熱が、前記粒状混合物の温度を450℃よりも高く漸進的に上昇させることによる、請求項１１に記載の方法。
【請求項１７】
温度が600℃を越えない、請求項１５に記載の方法。
【手続補正書】
【提出日】平成22年10月27日(2010.10.27)
【手続補正１】
【補正対象書類名】特許請求の範囲
【補正対象項目名】全文
【補正方法】変更
【補正の内容】
【特許請求の範囲】
【請求項１】
海馬型健忘症候群を特徴とする非認知症軽度認知機能障害の治療のための医薬組成物であって、唯一の有効成分として、遊離型の、または塩もしくはエステルの形態ならびに水和物および溶媒和物の形態の、ジメチルアミノエタノール（ＤＭＡＥ）を含んでなる、医薬組成物。
【請求項２】
前記ＤＭＡＥが、次の誘導体：ピログルタメート、ヒドロクロリド、アスコルベート、ビタルトレート、ジハイドロジェンホスフェート、オロテート、スクシネート、カルバメート、フェニルアセテート、ベンゾエート、パラ−アセトアミドベンゾエートおよびアセグルタメートの中から選択される塩またはエステルの形態である、請求項１に記載の医薬組成物。
【請求項３】
成人の１日用量を３００ｍｇ〜３ｇ、特に１５００ｍｇの有効成分とすることを可能にする投与量単位で、経口経路で摂取されるように意図されている形態である、請求項１または２に記載の医薬組成物。
【請求項４】
およそ１．５μｇ／ｍｌというジメチルアミノエタノールのＣｍａｘに相当する血漿レベルをもたらすジメチルアミノエタノールの連日投与を可能にする、経口経路で摂取される投与量単位の形態である、請求項３に記載の医薬組成物。
【請求項５】
デアノールピログルタメートが用いられる、請求項２に記載の医薬組成物。
【請求項６】
３００ｍｇ〜３ｇ、特に１５００ｍｇのデアノールピログルタメートの成人への連日投与を可能にする投与量単位で、経口経路によって摂取されるように意図されている形態である、請求項５に記載の医薬組成物。
【請求項７】
およそ１．５μｇ／ｍｌというジメチルアミノエタノールのＣｍａｘに相当する血漿レベルおよびおよそ２４ｎｇ／ｍｌというピログルタミン酸のＣｍａｘに相当する血漿レベルをもたらすジメチルアミノエタノールピログルタメートの連日投与を可能にする、経口経路で摂取される投与量単位の形態である、請求項６に記載の医薬組成物。
【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
(a)極性ケトプロフェン誘導体、及び
(b)医薬的に許容される局所又は経皮キャリア、
を含み、該極性ケトプロフェン誘導体がケトプロフェンよりも大きい極性を有し、且つ、下記式ＩＩで表されることを特徴とする、局所又は経皮組成物。
【化１】
2010508289.tif 000001
（式中、Rは少なくとも１個のヒドロキシル基で置換されたＣ1-6アルキル基である。）
【請求項２】
Rが少なくとも2個のヒドロキシル基を含む、請求項１記載の組成物。
【請求項３】
極性ケトプロフェン誘導体が、メチレングリコールケトプロフェン誘導体、エチレングリコールケトプロフェン誘導体、プロピレングリコールケトプロフェン誘導体、イソプロピレングリコールケトプロフェン誘導体、ブチレングリコールケトプロフェン誘導体、アルファヒドロキシ酸ケトプロフェン誘導体、乳酸ケトプロフェン誘導体及びグリコール酸ケトプロフェン誘導体からなる群から選択される、請求項１記載の組成物。
【請求項４】
極性ケトプロフェン誘導体がケトプロフェングリセロールモノエステルである、請求項１記載の組成物。
【請求項５】
極性ケトプロフェン誘導体がケトプロフェンの約1.3倍の分子量より少ない分子量を有する、請求項１記載の組成物。
【請求項６】
極性ケトプロフェン誘導体が比較可能な条件下で測定したときにケトプロフェンのKOWの値よりも低いKOW値を有する、請求項１記載の組成物。
【請求項７】
組成物が治療上有効量の極性ケトプロフェン誘導体を含む、請求項１記載の組成物。
【請求項８】
さらにケトプロフェンを含む、請求項１記載の組成物。
【請求項９】
極性ケトプロフェン誘導体のみを活性成分として含む対応する組成物において治療上有効となり得る量の極性ケトプロフェン誘導体、及びケトプロフェンのみを活性成分として含む対応する組成物において治療上有効となり得る量のケトプロフェンを含む、請求項８記載の組成物。
【請求項１０】
極性ケトプロフェン誘導体及びケトプロフェンの少なくとも1種が、ケトプロフェン誘導体又はケトプロフェンのみを活性成分として含む対応する組成物において治療上有効となり得ない量で存在する、請求項８記載の組成物。
【請求項１１】
ケトプロフェン誘導体及びケトプロフェンの両方が、ケトプロフェン誘導体又はケトプロフェンのみを活性成分として含む対応する組成物において治療上有効となり得ない量で存在する、請求項８記載の組成物。
【請求項１２】
極性ケトプロフェン誘導体の混合物を含む、請求項１記載の組成物。
【請求項１３】
さらに少なくとも1種の無極性ケトプロフェン誘導体を含む、請求項１記載の組成物。
【請求項１４】
医薬的に許容されるキャリアが、液体、クリーム、ローション、軟膏、バルム、ペースト、ゲル及び軟膏剤から選択される局所的キャリアである、請求項１記載の組成物。
【請求項１５】
医薬的に許容されるキャリアが、圧力敏感性接着剤及び生物接着剤からなる群から選択される接着剤を含む経皮キャリアである、請求項１記載の組成物。
【請求項１６】
医薬的に許容されるキャリアが、圧力敏感性シリコーン接着剤及び圧力敏感性アクリル系接着剤、及びそれら任意の2種以上の混合物からなる群から選択される接着剤を含む、請求項１５記載の組成物。
【請求項１７】
医薬的に許容されるキャリアが経皮パッチで提供される、請求項１記載の組成物。
【請求項１８】
比較可能な条件下で評価したときに、ケトプロフェン誘導体の経皮送達速度が、当量のケトプロフェンを含む対応する組成物によって達成される送達速度の少なくとも約20%である、請求項１記載の組成物。
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
抗菌剤組成物であって、
ａ）少なくとも３５重量％の分量で存在するＣ２〜Ｃ５低級アルコールと、
ｂ）少なくとも２重量％の分量で存在する、Ｃ１２〜Ｃ２１脂肪族アルコール、Ｃ１２〜Ｃ２１脂肪族エーテル、Ｃ１２〜Ｃ２１脂肪酸アミド、及び前述の全ての組み合わせからなる群から選択される１個以上の遊離ヒドロキシル基を含有する脂肪族成分と、
ｃ）カチオン性抗菌剤と、
を含み、６を超えるＨＬＢを有する界面活性剤を含まず、
親水性ポリマーを本質的に含まない抗菌剤組成物。
【請求項２】
抗菌剤組成物であって、
ａ）少なくとも３５重量％の分量で存在するＣ２〜Ｃ５低級アルコールと、
ｂ）Ｃ１２〜Ｃ２１脂肪族アルコール、Ｃ１２〜Ｃ２１脂肪酸エステル、Ｃ１２〜Ｃ２１脂肪族エーテル、Ｃ１２〜Ｃ２１脂肪酸アミド、及び前述の全ての組み合わせからなる群から選択される１個以上の遊離ヒドロキシル基を含有する脂肪族成分と、
ｃ）カチオン性抗菌剤と、
ｄ）２価の酸のジエステル、クエン酸のトリエステル、ジオールのジエステル、トリオールのトリエステル、及びこれらの組み合わせからなる群から選択される皮膚軟化剤エステルと、
を含み、皮膚軟化剤エステルが組成物の総重量に基づいて１重量％を超える分量で存在する、抗菌剤組成物。
【請求項３】
前記脂肪族成分の前記カチオン性抗菌剤に対する比が少なくとも０．５：１である、請求項１又は２に記載の抗菌剤組成物。
【請求項４】
前記脂肪族成分及び前記皮膚軟化剤エステルの組み合わせの前記カチオン性抗菌剤に対する比が少なくとも１：１である、請求項２に記載の抗菌剤組成物。
【請求項５】
少なくとも１つの前記脂肪族成分及び前記皮膚軟化剤エステルが２３℃を超える融解温度を有する、請求項２に記載の抗菌剤組成物。
【請求項６】
医療用接着物品の湿式接着を改善する方法であって、
ａ）少なくとも３５重量％の分量で存在するＣ２〜Ｃ５低級アルコールと、
ｂ）Ｃ１２〜Ｃ２１脂肪族アルコール、Ｃ１２〜Ｃ２１脂肪酸エステル、Ｃ１２〜Ｃ２１脂肪族エーテル、Ｃ１２〜Ｃ２１脂肪酸アミド、及び前述の全ての組み合わせからなる群から選択される１個以上の遊離ヒドロキシル基を含有する脂肪族成分と、
ｃ）カチオン性抗菌剤と、
を含む組成物を適用する工程と、前記組成物の上に前記医療用接着物品を適用する工程とを含み、
前記医療用接着物品は、湿式皮膚接着試験により測定されたときに、皮膚に対して改善された接着性を有する、方法。
【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
患者の治療における医用治療計画に対する装置において、
前記患者の未熟血小板のカウント値を得るカウントユニットと、
前記未熟血小板カウント値に基づいて、少なくとも１つの治療法に対する前記患者の適格性を計算する第１の計算ユニットと、
前記患者の計算された適格性に基づいて、少なくとも１つの治療エージェントの個別患者用量計画を計算する第２の計算ユニットと、
を有する装置。
【請求項２】
未熟血小板の新しいカウント値を推定未熟血小板カウント値と比較することにより前記個別患者用量計画を再計画する再計画ユニット、
を更に有する、請求項１に記載の装置。
【請求項３】
前記患者の適格性を計算する前記第１の計算ユニットが、前記患者の前記未熟血小板カウント値と、骨髄抑制無しの健康な人に対して事前に得られた未熟血小板カウント値との比に基づいて前記適格性を計算する、請求項１に記載の装置。
【請求項４】
前記計算された個別患者用量計画が、
前記少なくとも１つの治療エージェントの用量と、
前記少なくとも１つの治療エージェントの投与間の時間と、
を有する、請求項１に記載の装置。
【請求項５】
前記第２の計算ユニットが、前記個別患者用量計画による治療に従う前記患者に対して時間の関数として前記未熟血小板カウント値を推定する、請求項１又は４に記載の装置。
【請求項６】
前記未熟血小板の新しいカウント値が前記推定未熟血小板カウント値より高い場合に、前記用量が増加される又は前記投与間の時間が減少され、逆も同様である、請求項２に記載の装置。
【請求項７】
前記再計画ユニットが、前記推定未熟血小板カウント値と比較した前記新しい未熟血小板カウント値に基づいて、前記第２の計算ユニットにより実行される前記新しい個別患者用量計画の計算を更新する、請求項２に記載の装置。
【請求項８】
前記少なくとも１つの治療法が非ホジキンリンパ腫の標的治療であり、前記少なくとも１つの治療エージェントがリツキサン／９０Ｙゼバリンである、請求項１に記載の装置。
【請求項９】
前記少なくとも１つの治療法が化学療法であり、前記少なくとも１つの治療エージェントがカルボプラチンである、請求項１に記載の装置。
【請求項１０】
前記第１の計算ユニットが、前記未熟血小板カウント値に基づいて複数の治療法に対して骨髄抑制のリスクを計算し、前記計算されたリスクに基づいて前記複数の治療法から治療法を選択する、請求項１に記載の装置。
【請求項１１】
医用ワークステーション又は医用システムに含まれる請求項１に記載の装置。
【請求項１２】
患者の治療における医用治療計画に対する方法において、
前記患者の未熟血小板のカウント値を得るステップと、
前記未熟血小板カウント値に基づいて、少なくとも１つの治療法に対する前記患者の適格性を計算するステップと、
前記患者の計算された適格性に基づいて、少なくとも１つの治療エージェントの個別患者用量計画を計算するステップと、
を有する方法。
【請求項１３】
未熟血小板の新しいカウント値を前記個別患者用量計画に含まれている推定未熟血小板カウント値と比較することにより前記個別患者用量計画を再計画するステップを更に有する、請求項１２に記載の方法。
【請求項１４】
前記推定未熟血小板カウント値との前記新しい未熟血小板カウント値の比較に基づいて新しい患者に対する第１の個別患者用量計画を計算するのに適したパラメータ推定値を有する基準モデルを更新するステップを更に有する、請求項１３に記載の方法。
【請求項１５】
患者の治療における医用治療計画に対するコンピュータ読み取り可能媒体において、前記コンピュータ読み取り可能媒体がプロセッサにより処理するコンピュータプログラムを包含し、前記コンピュータプログラムが、
前記患者の未熟血小板のカウント値を得るカウントコードセグメントと、
前記未熟血小板カウント値に基づいて、少なくとも１つの特定の治療法に対する前記患者の適格性を計算する第１の計算コードセグメントと、
前記患者の計算された適格性に基づいて、少なくとも１つの治療エージェントの個別患者用量計画を計算する第２の計算コードセグメントと、
を有する、コンピュータ読み取り可能媒体。
【請求項１６】
がん治療計画に対する、請求項１ないし１１に記載の装置、請求項１２ないし１４に記載の方法及び請求項１５に記載のコンピュータ読み取り可能媒体のいずれか１つの使用。
【手続補正書】
【提出日】平成22年7月22日(2010.7.22)
【手続補正１】
【補正対象書類名】特許請求の範囲
【補正対象項目名】全文
【補正方法】変更
【補正の内容】
【特許請求の範囲】
【請求項１】
創傷部位における新組織成長及び／又は創傷の治癒を促進する方法に使用するドレッシングであって、溶剤中に一またはそれ以上の生体再吸収性ポリマーとポロゲンシステムを溶解させ、前記溶剤を除去することで前記ドレッシングが形成されるドレッシングにおいて、前記方法が：
前記ドレッシングが創傷部位の大きさと形状を満たすように、前記創傷部位の中にドレッシングを位置決めするステップと；
マニフォールドを前記ドレッシングと接するように位置決めするステップと；
前記マニフォールドをドレープでカバーするステップと；
前記ドレープを前記創傷周辺で皮膚表面に固定するステップと；
前記ドレッシングとマニフォールドを通して前記創傷部位に減圧を適用するステップと；
前記ドレッシング内でポロゲンと接触している創傷液によって、インサイチューで前記ドレッシング内に微細孔を形成するステップと；
を具えることを特徴とするドレッシング。
【請求項２】
請求項１に記載のドレッシングにおいて、前記ポロゲンシステムが、重炭酸ナトリウムと少なくとも一の酸であることを特徴とするドレッシング。
【請求項３】
請求項２に記載のドレッシングにおいて、前記酸がクエン酸であることを特徴とするドレッシング。
【請求項４】
請求項１に記載のドレッシングにおいて、前記ポロゲンシステムが塩であることを特徴とするドレッシング。
【請求項５】
請求項１に記載のドレッシングにおいて、前記ドレッシングを形成するステップが更に、一又はそれ以上の可塑剤を前記溶剤に加えるステップを具えることを特徴とするドレッシング。
【請求項６】
請求項１に記載のドレッシングにおいて、前記微細孔のサイズが１００ミクロンから５００ミクロンの間であることを特徴とするドレッシング。
【請求項７】
請求項１に記載のドレッシングにおいて、前記創傷部位中へドレッシングの位置決めするステップが、前記ドレッシングをハンドモールディングすることによって生じることを特徴とするドレッシング。
【請求項８】
創傷部位における新組織成長及び／又は創傷の治癒を促進する方法に使用するドレッシングであって、溶剤中に一またはそれ以上の生体再吸収性ポリマーを溶解させ、前記溶媒中で当該一またはそれ以上の生体再吸収性ポリマーとポロゲンシステムを混合させ、前記溶剤を除去することで前記ドレッシングが形成されるドレッシングにおいて、前記方法が：
前記ドレッシングを液体に接触させて前記ポロゲンシステムに微細孔を形成するようにするステップと；
前記ドレッシングが前記創傷部位に接触するように、創傷部位の中にドレッシングを位置決めするステップと；
マニフォールドをドレッシングに接するように位置決めするステップと；
前記マニフォールドをドレープでカバーするステップと；
前記ドレープを前記創傷周辺部で皮膚表面に固定するステップと；
前記ドレッシングとマニフォールドを通して前記創傷部位に減圧を適用するステップと；
を具えることを特徴とするドレッシング。
【請求項９】
請求項８に記載のドレッシングにおいて、前記ポロゲンシステムが重炭酸ナトリウムと少なくとも一の酸であることを特徴とするドレッシング。
【請求項１０】
請求項９に記載のドレッシングにおいて、前記酸がクエン酸であることを特徴とするドレッシング。
【請求項１１】
請求項８に記載のドレッシングにおいて、前記ポロゲンシステムが塩であることを特徴とするドレッシング。
【請求項１２】
請求項８に記載のドレッシングにおいて、前記ドレッシングを形成する方法が更に、一またはそれ以上の可塑剤を前記溶剤に加えるステップを具えることを特徴とするドレッシング。
【請求項１３】
請求項８に記載のドレッシングにおいて、前記創傷部位中へのドレッシングの位置決めが、ドレッシングをハンド・モールディングすることで生じることを特徴とするドレッシング。
【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
移植可能なペーシング装置であって、
１つ又は２つ以上の予備興奮ペーシングチャネルを有し、前記予備興奮ペーシングチャネルは、パルス発生回路と、１つ又は２つ以上の電極とを有し、前記電極は、１つ又は２つ以上の心筋層部位の近くに配置されるように構成され、
更に、コントローラを有し、前記コントローラは、前記ペーシング装置が予備興奮状態で作動しているときに、プログラムされた予備興奮ペーシングモードに従って、ペーシングを前記予備興奮ペーシングチャネルを介して配送するようにプログラムされ、
更に、血圧センサを有し、前記血圧センサは、患者の動脈の血圧に関する信号を発生させるために前記コントローラに接続され、前記コントローラは、血圧測定値を前記血圧センサから導出するようにプログラムされ、
前記コントローラは、前記予備興奮状態をデューティサイクルにするようにプログラムされ、前記血圧測定値が特定の程度まで増大すると、前記ペーシング装置によって配送される予備興奮ペーシングの量を増大させる、ペーシング装置。
【請求項２】
前記コントローラは、前記血圧測定値が第１の限界値よりも大きいときに前記予備興奮状態に入り、且つ、前記血圧測定値が第２の限界値よりも小さいときに前記予備興奮状態から出ることによって、前記予備興奮状態をデューティサイクルにするようにプログラムされる、請求項１に記載のペーシング装置。
【請求項３】
前記コントローラは、経過期間に基づくスケジュールに従って前記予備興奮状態に入ったりそれから出たりすることによって、前記予備興奮状態をデューティサイクルにするようにプログラムされ、
前記コントローラは、更に、前記血圧測定値が特定の程度まで増大したら、前記スケジュールを変更して前記予備興奮状態の継続時間を増大させるようにプログラムされる、請求項１に記載のペーシング装置。
【請求項４】
前記血圧測定値は、特定の期間にわたって発生した患者の動脈の血圧に関する信号の平均である、請求項１に記載のペーシング装置。
【請求項５】
更に、患者の活動レベルに関する変数を測定するための活動レベルセンサを有し、
前記コントローラは、活動レベル測定値が特定のしきい値よりも大きいときに、前記予備興奮状態から出るようにプログラムされる、請求項１に記載のペーシング装置。
【請求項６】
更に、患者の心拍出量に関する変数を測定するための心拍出量センサを有し、
前記コントローラは、予備興奮ペーシングを心房トラッキング又はＡＶシーケンシャルペーシングアルゴリズムに従って心室ペーシングとして配送するようにプログラムされ、それにより、心房感知又はペーシングに続いて、プログラムされているＡＶ遅延期間の終了時、１つ又は２つ以上の予備興奮ペーシングが配送され、
前記コントローラは、予備興奮ペーシング中、ＡＶ遅延期間を、心拍出量の測定値が最大になるように調整するようにプログラムされる、請求項１に記載のペーシング装置。
【請求項７】
更に、ペーシングチャネルに、選択されたペーシング電極を設定するためのスイッチを有し、前記スイッチは、コントローラによって作動可能であり、
前記コントローラは、前記予備興奮ペーシングチャネルを異なるペーシング電極に定期的に再設定するようにプログラムされる、請求項１に記載のペーシング装置。
【請求項８】
更に、ペーシングチャネルに、選択されたペーシング電極を設定するためのスイッチを有し、前記スイッチは、コントローラによって作動可能であり、
前記コントローラは、前記予備興奮ペーシングチャネルを異なるペーシング電極を順番に再設定することと、血圧測定値を最も大きく減少させる前記ペーシング電極を、前記予備興奮ペーシングチャネルに使用するために選択することとによって、前記予備興奮ペーシングチャネルを最適に設定するようにプログラムされる、請求項１に記載のペーシング装置。
【請求項９】
前記コントローラは、更に、異なるペーシングモードを順番に試験して、血圧測定値を最も大きく減少させるペーシングモードを、前記予備興奮状態において使用するために選択するようにプログラムされる、請求項８に記載のペーシング装置。
【請求項１０】
前記コントローラは、更に、１つ又は２つ以上のペーシングパラメータの異なる値を順番に試験して、血圧測定値を最も大きく減少させる１つ又は２つ以上のペーシングパラメータの値を、前記予備興奮状態において使用するために選択するようにプログラムされる、請求項９に記載のペーシング装置。
【手続補正書】
【提出日】平成22年11月2日(2010.11.2)
【手続補正１】
【補正対象書類名】明細書
【補正対象項目名】００４４
【補正方法】変更
【補正の内容】
【００４４】
Ｕ字形補強材４９の外側の頂点４９ａは、縫合部４７によって、頂点をその所望される位置に保つようステントグラフトの壁３４に縫合されていることが注目されるであろう。また、２重Ｕ字形リング補強材４８の内側部分４８ａは、その頂点で２重Ｕ字形リング補強材４８の外側部分４９の頂点４９ａよりもわずかに低い。これは、折り返し５０が、壁４５の内側に確実に接触する助けとなる。
【手続補正２】
【補正対象書類名】特許請求の範囲
【補正対象項目名】全文
【補正方法】変更
【補正の内容】
【特許請求の範囲】
【請求項１】
人体または動物の体の血管分岐部を含む血管の緊急破裂部の処置のためのステントグラフトであって、前記ステントグラフトは、生体適合性のあるグラフト材料からなる主要な管状体を含み、前記グラフト材料は自身を通して主管腔を規定し、前記管状体にあるグラフト分岐部は、前記グラフト分岐部から延びた第１の長い脚部と、前記グラフト分岐部から延びた第２の短い脚部か孔かのいずれかとを規定し、前記長い脚部および前記短い脚部の各々は、前記脚部を通してそれぞれの脚部管腔を有し、各脚部管腔または孔は、前記主管腔と流体連通しており、前記第２の短い脚部または孔は、前記第２の短い脚部または孔を通る前記主管腔からの流体流を防ぐバルブ機構を含み、前記バルブ機構は、脚部延長ステントグラフトを前記バルブ機構を通して配置するために、前記ステントグラフトの外側から開くことができ、
前記バルブ機構は、前記第２の短い脚部の遠位の開口部または前記孔の周囲で固定され前記管状体の中へ戻って延びた、ステントの入っていない管と、前記管上において前記管と前記遠位の開口部または前記孔との取付部から離れた端部にある閉鎖部材とを含み、前記閉鎖部材は、形状記憶材料からなるリングを含む、ステントグラフト。
【請求項２】
前記グラフト分岐部から前記第２の短い脚部は規定され、前記ステントグラフトは、長い方の脚部が、前記血管分岐部から延びた血管のうち一方の中へ延び、かつ短い方の脚部が、前記血管分岐部から延びた血管の他方に向けられた状態で、血管中に導入される、請求項１に記載のステントグラフト。
【請求項３】
前記第２の短い脚部は、前記グラフト分岐部から離れた端部で、前記管状体の内部で、前記管状体に固定されている、請求項１または２に記載のステントグラフト。
【請求項４】
前記第２の短い脚部は、その遠位端に形状記憶金属からなる補強リングを含む、請求項１または２に記載のステントグラフト。
【請求項５】
前記第２の短い脚部は、前記主要な管状体の内部に陥入されている、請求項１または２に記載のステントグラフト。
【請求項６】
前記バルブ機構は、前記第２の短い脚部を含み、内端が前記閉鎖部材によって実質的にＵ字形に保たれ、２重Ｕ字形に保たれ、円形に開くことができる、請求項１または２に記載のステントグラフト。
【請求項７】
前記閉鎖部材による前記実質的Ｕ字形の部分は、前記ステントグラフトの前記管状体に縫合されている、請求項６に記載のステントグラフト。
【請求項８】
前記脚部延長ステントグラフトは、腔内栓である、請求項１に記載のステントグラフト。
【請求項９】
前記グラフト分岐部から前記孔は規定され、前記血管は、人体または動物の体の大動脈分岐部のまたは大動脈分岐部の近くの大動脈である、請求項１に記載のステントグラフト。
【請求項１０】
前記管状体の遠位端は、腸骨動脈内に収容され腸骨動脈にシールする直径を有し、近位端は、大動脈内に収容され大動脈にシールする直径を有し、前記管状体にある前記孔は、前記遠位端と近位端との中間にあり、使用時、対側の腸骨動脈に向けられており、前記孔は、前記孔から出る前記主管腔からの流体流を防ぐバルブ機構を含み、前記バルブ機構は、脚部延長ステントグラフトを前記バルブ機構を通して配置するために前記ステントグラフトの外側から開くことができ、これにより前記ステントグラフトは、前記遠位端が前記腸骨動脈中に延び、かつ前記近位端が大動脈中に前記破裂部の近位に収容され、かつ前記孔が前記対側の腸骨動脈に向けられた状態で、大動脈中に導入される、請求項９に記載のステントグラフト。
【請求項１１】
前記孔は、形状記憶金属からなる補強リングを含む、請求項９に記載のステントグラフト。
【請求項１２】
前記管は、生体適合性のあるグラフト材料からなり、前記管の内端は、前記閉鎖部材によって実質的にＵ字形に保たれ、２重Ｕ字形に保たれ、脚部延長ステントグラフトを自身の中に留置するよう円形に開くことができる、請求項１０に記載のステントグラフト。
【請求項１３】
前記実質的にＵ字形の閉鎖部材は、前記ステントグラフトの前記管状体に縫合されている、請求項１２に記載のステントグラフト。
【請求項１４】
前記脚部延長ステントグラフトは腔内栓である、請求項１０に記載のステントグラフト。
【請求項１５】
前記グラフト分岐部から前記第２の短い脚部は規定され、前記血管は大動脈分岐部に隣接する大動脈である、請求項１に記載のステントグラフト。
【請求項１６】
前記管は、生体適合性材料からなり、前記管の前記第２の短い脚部との取付部から離れた端部で、管状体に固定されている、請求項１５に記載のステントグラフト。
【請求項１７】
前記閉鎖部材は、２重Ｕ字形であり、円形に開くことができる、請求項１５に記載のステントグラフト。
【請求項１８】
前記第２の短い脚部は、その遠位端に形状記憶金属からなる補強リングを含む、請求項１５に記載のステントグラフト。
【請求項１９】
前記第２の短い脚部は、前記主要な管状体の内部に陥入されている、請求項１５に記載のステントグラフト。
【請求項２０】
前記バルブ機構は、前記第２の短い脚部を含み、内端が前記閉鎖部材によって実質的にＵ字形に保たれ、２重Ｕ字形に保たれ、円形に開くことができる、請求項１９に記載のステントグラフト。
【請求項２１】
前記閉鎖部材による実質的Ｕ字形の部分は、前記ステントグラフトの前記管状体に縫合されている、請求項２０に記載のステントグラフト。
【請求項２２】
前記管は、生体適合性材料からなり、前記閉鎖部材は、前記管を弾性的に閉鎖する、請求項１５に記載のステントグラフト。
【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
インプラント可能な医療器具の表面上にコーティングを形成する方法であって、
長手方向の軸を有する実質的に円筒形の容器（３２）を設けるステップと、
前記実質的に円筒形の容器の内側に管腔を含む前記医療器具（１２；２２）を配置するステップと、
前記医療器具を回転させるように前記長手方向の軸の周りで前記実質的に円筒形の容器を回転させるステップと、
前記実質的に円筒形の容器の内側に液状の第１のポリマーを塗布するステップと、
前記実質的に円筒形の容器を回転させながら前記第１のポリマーを少なくとも部分的に凝固させるステップとを含む、方法。
【請求項２】
前記方法は、前記医療器具（２２）の管腔外面上にコーティングを形成する方法である、請求項１に記載の方法。
【請求項３】
前記方法は、未拡張状態の前記実質的に円筒形の容器の内側に前記医療器具（２２）を配置する前に前記実質的に円筒形の容器（３２）の管腔内面をコーティングして、次に前記医療器具を拡張して前記ポリマーに接触させるステップを含む、請求項２に記載の方法。
【請求項４】
前記医療器具（２２）の管腔内面上にコーティングを形成するステップを含む、請求項２または３に記載の方法。
【請求項５】
前記ポリマーはポリウレタン尿素を含む、請求項１から４のいずれかに記載の方法。
【請求項６】
前記ポリウレタン尿素は、表面改質添加剤を含有するシロキサンと混ぜ合わされている、請求項５に記載の方法。
【請求項７】
前記ポリマーは、ベースポリマーと、前記ベースポリマーの約０．５重量％から約５重量％の表面改質添加剤とを含み、
前記表面改質添加剤は、ポリジメチルシロキサンと、ジフェニルメタンジイソシアネートおよび１，４−ブタンジオールの反応生成物とを含み、
前記ベースポリマーは、ポリテトラメチレンオキシドと、４，４′−ジフェニルメタンジイソシアネートおよびエチレンジアミンの反応生成物とを含むポリエーテルウレタン尿素である、
請求項１から６のいずれかに記載の方法。
【請求項８】
前記実質的に円筒形の容器の内側に液状の第１のポリマーを塗布するステップは、前記実質的に円筒形の容器（３２）の内面と前記医療器具（２２）の管腔外との間に液状の前記第１のポリマーを塗布するステップを含む、請求項１から７のいずれかに記載の方法。
【請求項９】
前記医療器具（１２；２２）は、グラフト、ステントまたはリングを含む、請求項１から８のいずれかに記載の方法。
【請求項１０】
前記医療器具（１２；２２）に生体活性剤を塗布するステップを含み、オプションで、前記生体活性剤は、抗血栓性剤、抗血小板剤、免疫抑制剤、増殖抑制剤、繊維溶解剤または抗菌剤である、請求項１から９のいずれかに記載の方法。
【請求項１１】
液状の前記ポリマーと前記生体活性剤とを混ぜるステップ、または前記ポリマーと接して前記生体活性剤を塗布するステップを含む、請求項１０に記載の方法。
【請求項１２】
インプラント可能な医療器具（１２；２２）の管腔をコーティングするための装置であって、
液状のポリマー源（３６）と、
実質的に円筒形の容器（３２）と、
長手方向の軸の周りで前記実質的に円筒形の容器内の前記管腔を回転させるための管腔回転器（３０）と、
液状のポリマーを前記実質的に円筒形の容器の内側の前記医療器具の管腔内面に塗布するための塗布具（３８）とを含み、
オプションでヒータまたは乾燥機を含む、装置。
【請求項１３】
前記管腔回転器はローラの床を含む、請求項１２に記載の装置。
【請求項１４】
前記管腔回転器はホットドッグローラである、請求項１３に記載の装置。
【請求項１５】
請求項１２、１３または１４の装置を用いて行なわれる、請求項１から１１のいずれかに記載の方法。
【手続補正書】
【提出日】平成22年11月4日(2010.11.4)
【手続補正１】
【補正対象書類名】特許請求の範囲
【補正対象項目名】全文
【補正方法】変更
【補正の内容】
【特許請求の範囲】
【請求項１】
ポリマーマトリックス、および生物活性剤のポリマーマトリックス内に組み込まれた生物活性剤を含む眼のデバイスであって、生物活性剤は、ポリマーマトリックス内に、静電相互作用、疎水性／疎水性相互作用、ポリマーマトリックスへの共有結合、またはこれらの任意の組み合わせにより固定化され、眼のデバイスは、眼の中の涙と接触するとき、１種以上の涙成分によりポリマーマトリックスから生物活性剤を放出することを誘発されることができる、眼のデバイス。
【請求項２】
ポリマーマトリックスを、化学線架橋性プレポリマーを含む流体組成物の重合により製造する、請求項１のデバイス。
【請求項３】
プレポリマーが水溶性である、請求項２のデバイス。
【請求項４】
プレポリマーが、水溶性架橋性ポリビニルアルコールプレポリマー；水溶性ビニル基末端ポリウレタン；ポリビニルアルコール、ポリエチレンイミンもしくはポリビニルアミンの誘導体；水溶性架橋性ポリ尿素プレポリマー；架橋性ポリアクリルアミド；ビニルラクタム、メタクリル酸メチルおよびコモノマーの架橋性統計的コポリマー；ビニルラクタム、酢酸ビニルおよびビニルアルコールの架橋性コポリマー；架橋性側鎖を有するポリエーテル−ポリエステルコポリマー；分岐状ポリアルキレングリコール−ウレタンプレポリマー；ポリアルキレングリコール−テトラ（メタ）アクリレートプレポリマー；架橋性のポリアリルアミングルコノラクトンプレポリマー、またはこれらの任意の混合物を含む、請求項２のデバイス。
【請求項５】
プレポリマーが、シリコーン含有プレポリマーを含む、請求項２のデバイス。
【請求項６】
プレポリマーがポリヒドロキシル化合物であり、分子量が少なくとも約２，０００であり、式Ｉ〜ＩＩＩ：
【化１２】
2010508902.tif 000001
（式中、Ｒ3は、水素、Ｃ1〜Ｃ6アルキル基またはシクロアルキル基であり、Ｒは、炭素原子を１２個まで有する直鎖状または分岐状のアルキレン二価基であり、Ｒ1は、水素、または炭素原子を７個まで有するアルキルであり、Ｒ2は、炭素原子を２５個まで有する、オレフィン性不飽和の、電子吸引、架橋性基であり、Ｒ7は、式Ｎ+（Ｒ’）3Ｘ-（式中、各Ｒ’は、独立に、水素またはＣ1〜Ｃ4アルキル基であり、Ｘは、ＨＳＯ4-、Ｆ-、Ｃｌ-、Ｂｒ-、Ｉ-、ＣＨ3ＣＯＯ-、ＯＨ-、ＢＦ-、およびＨ2ＰＯ4-からなる群より選ばれる対イオンである）の第一級、第二級もしくは第三級アミノ基または第四級アミノ基であり、Ｒ8は、一塩基、二塩基または三塩基の、飽和または不飽和の、脂肪族または芳香族の有機酸またはスルホン酸の基である。）の単位を、化合物中のヒドロキシル基の数に基づいて、約０．５〜約８０％含む、請求項２のデバイス。
【請求項７】
ポリヒドロキシル化合物が、分子量が少なくとも約２，０００であり、式Ｉ［式中、Ｒは炭素原子を６個まで有する低級アルキレン二価基であり、Ｒ1は水素または炭素原子を７個まで有するアルキルであり、Ｒ3は水素であり、Ｒ2は、式（ＩＶ）または（Ｖ）：
【化１３】
2010508902.tif 000002
（式中、ｐおよびｑは、互いに独立に、０または１であり、Ｒ5およびＲ6は、互いに独立に、炭素原子を２〜８個有する低級アルキレン二価基、炭素原子を６〜１２個有するアリーレン二価基、炭素原子を６〜１０個有する飽和の二価の脂環式の基、炭素原子を７〜１４個有するアリーレンアルキレンもしくはアルキレンアリーレン二価基、または炭素原子を１３〜１６個有するアリーレンアルキレンアリーレン二価基であり、Ｒ4は、炭素原子を２〜２４個有するオレフィン性不飽和架橋性基である）の基である］の単位が、化合物中のヒドロキシル基の数に基づいて、約０．５〜約８０％、１〜５０％、１〜２５％、または２〜１５％である、請求項６のデバイス。
【請求項８】
生物活性剤およびポリマーマトリックスが、イオン基、イオン性基、またはこれらの組み合わせを少なくとも１種含む、請求項１〜７のいずれか１項のデバイス。
【請求項９】
生物活性剤が、ドラッグ、アミノ酸、ポリペプチド、タンパク質、核酸、またはこれらの任意の組み合わせを含む、請求項１〜７のいずれか１項のデバイス。
【請求項１０】
生物活性剤がドラッグを含み、ドラッグがレバミピド、オラプチジン、クロモグリコラート、クロモグリク酸ナトリウム、シクロスポリン、ネドクロミル、レボカバスチン、ロドキサミド、ケトチフェン、ピメクロリムス、ヒアルロナン、またはこれらの薬学的に許容される塩もしくはエステルを含むドラッグを含む、請求項１〜８のいずれか１項のデバイス。
【請求項１１】
デバイスがさらに、ポリマーマトリックス中に組み込まれたキャリア剤を含み、キャリア剤が、イオン基、イオン性基、またはこれらの組み合わせを少なくとも１種含む、請求項１〜１０のいずれか１項のデバイス。
【請求項１２】
キャリア剤が、カルボン酸基１個以上を含むポリマーを含む、請求項１１のデバイス。
【請求項１３】
キャリア剤が、ポリアクリル酸、ポリメタクリル酸、またはポリエチレンイミンを含む、請求項１１のデバイス。
【請求項１４】
眼のデバイスが、パッケージ溶液中に、長期間、パッケージ溶液中に１年間貯蔵後約２０％未満浸出することにより特徴付けられる有意な程度までの浸出を伴わず保管される性能を有することを特徴とする、請求項１〜１３のいずれか１項のデバイス。
【請求項１５】
生物活性剤が、ポリマーマトリックスから６時間〜３０日放出される、請求項１のデバイス。
【請求項１６】
デバイスがコンタクトレンズまたは眼内レンズを含む、請求項１〜１５のいずれか１項のデバイス。
【請求項１７】
工程：
ａ．マトリックス形成材料および生物活性剤を混合し；
ｂ．工程（ａ）で生成した混和物をデバイス製造用型に導入し；
ｃ．型内のマトリックス形成材料を重合してデバイスを形成することを含み、ここで生物活性剤は、ポリマーマトリックスと相互作用し、マトリックス形成材料の重合中に生成したポリマーマトリックスに固定化される、眼のデバイスの製造方法。
【請求項１８】
マトリックス形成材料が化学線架橋性プレポリマーを含む、請求項１７の方法。
【請求項１９】
請求項１７の方法であって、該方法により製造したデバイスを抽出プロセスに付さない方法。
【請求項２０】
請求項１７の方法により作られたデバイス。
【請求項２１】
対象の眼を請求項１のデバイスと接触させることを含み、ここで１種以上の涙成分が生物活性剤をデバイスから放出する、生物活性剤を対象に送達する方法。